(57)【特許請求の範囲】
【請求項１】
左右一対のカップ部と、
前記カップ部の下縁に沿って前記カップ部の前中心側から脇側にかけて設けられた円弧状のワイヤ部と、
背側に延在するバック部と、を備え、
前記カップ部の最下点より下方に土台部が形成されていないアンダーフリータイプのカップ部を有する衣類であって、
前記カップ部の内部には、前記ワイヤ部に沿って帯状に延在し、着用時に前記ワイヤ部におけるバストを挟む力を補強する補強部材が内蔵されており、
前記補強部材は、前記ワイヤ部から上方に離間して配置され、
前記補強部材と前記カップ部とは、一体的に形成されていることを特徴とするカップ部を有する衣類。
【請求項２】
前記バック部は、前記カップ部の前記最下点より脇側から延びていることを特徴とする請求項１に記載のカップ部を有する衣類。
【請求項３】
前記補強部材は、前記カップ部の前記最下点から、それぞれ前記ワイヤ部の前中心側末端と脇側末端に向けて長さの２／３までの領域に設けられていることを特徴とする請求項１又は２に記載のカップ部を有する衣類。
【請求項４】
前記補強部材は、前記カップ部と同等の材料、もしくは前記カップ部よりも伸縮性が低い材料、もしくは前記カップ部よりも回復性が高い材料から形成されていることを特徴とする請求項１〜３のいずれか一項に記載のカップ部を有する衣類。
【請求項５】
前記カップ部におけるバストトップに対応する位置より下方であって前記補強部材までの領域が、肌側に膨らむこと、もしくは着脱自在に取り付けられたパッドを有することを特徴とする請求項１〜４のいずれか一項に記載のカップ部を有する衣類。
【請求項６】
前記左右一対のカップ部を連結する土台部を更に備えることを特徴とする請求項１〜５のいずれか一項に記載のカップ部を有する衣類。
【発明の詳細な説明】
【技術分野】
【０００１】
本発明は、カップ部を有する衣類に関する。
【背景技術】
【０００２】
従来、このような分野の技術として、特開２００２−１１５１０５号公報（特許文献１）がある。この公報に記載されたブラジャーは、椀状に形成されたカップ部と、湾曲したワイヤ部と、背側に延びるバック部とを備える。そして、カップ部の表側に伸び抑制布を縫着することで、バストの造形性及び着用感の向上を両立させる。
【０００３】
しかしながら、上記文献に記載のブラジャーでは、バストの造形性及び着用感の向上を両立させるのが困難であった。具体的には、上述のブラジャーでは、着用の際に広がったワイヤ部が元に戻ろうとする力を利用して、バストを挟み押し上げることでバストの形を整える（造形する）。バストの造形性を高めるためには、ワイヤ部の挟む力を強くすることが必要である。しかし、ワイヤ部の挟む力を強くすると、ワイヤ部の肌当たりも強くなり、また、これによって脇側からバストのボリュームがはみ出しやすくなるので、ブラジャーの着用感が低下してしまう問題がある。
【０００４】
上述の問題を解決するため、例えば特許文献２及び３に記載のノンワイヤタイプのブラジャーが挙げられる。これらの特許文献に記載のブラジャーでは、ワイヤ部に代えて一定のサポート力を有する保持部材あるいは形状維持部材をカップ部内に内蔵させることで、ワイヤ部による締め付け等を解消し、着用感を向上しつつバストの造形性を高めようとしている。
【０００５】
このような問題は、土台部を弱くしたブラジャー（すなわち、アンダーが弱いタイプ）とアンダーフリーとしたブラジャーに特に生じやすい。これらのブラジャーは、窮屈感を軽減させるために、アンダーにかかる力を弱くしている。このため、アンダーが安定しにくく、ワイヤ部がしっかりとバストを挟むことができず、カップ部がバストの重さでずり下がり、ワイヤ部の違和感を感じやすく、着用感及び造形性が低下してしまう。
【先行技術文献】
【特許文献】
【０００６】
【特許文献１】特開２００２−１１５１０５号公報
【特許文献２】特開２００１−２８８６０４号公報
【特許文献３】特開平８−２４６２０５号公報
【発明の概要】
【発明が解決しようとする課題】
【０００７】
しかしながら、これらの特許文献に記載のブラジャーでは、ワイヤタイプと比べて、保持部材又は形状維持部材によるバストへのサポート力が弱いため、長時間にわたる造形効果を保つことができず、着崩れが生じやすい。その結果、バストの造形性及び着用感の向上を両立させるのも難しい。
【０００８】
本発明は、このような技術課題を解決するためになされたものであって、バストの造形性の向上及び良い着用感との両立を可能にするカップ部を有する衣類を提供することを目的としている。
【課題を解決するための手段】
【０００９】
本発明に係るカップ部を有する衣類は、左右一対のカップ部と、カップ部の下縁に沿ってカップ部の前中心側から脇側にかけて設けられた円弧状のワイヤ部と、背側に延在するバック部と、を備え、カップ部の最下点より下方に土台部が形成されていないアンダーフリータイプのカップ部を有する衣類であって、カップ部の内部には、ワイヤ部に沿って帯状に延在し、着用時にワイヤ部におけるバストを挟む力を補強する補強部材が内蔵されており、補強部材は、ワイヤ部から上方に離間して配置され、補強部材とカップ部とは、一体的に形成されていることを特徴とする。
【００１０】
本発明に係るカップ部を有する衣類では、ワイヤ部に沿って帯状に延在し、着用時にワイヤ部におけるバストを挟む力を補強する補強部材が内蔵されているので、バストの造形性を向上することが可能になる。すなわち、着用時にワイヤ部が元に戻ろうとする力が補強部材に伝わり、補強部材がその力を受けて、バスト下部のボリュームを挟んで上方に押し上げる。このようにワイヤ部と補強部材の協働でワイヤ部の挟む力を効果的にバストに伝えることができ、バストを支える力をアップすることが可能になる。
【００１１】
しかも、従来と比べてバストを挟んで押し上げる領域が大きくなるので、バストをサポートする効果を高めることでき、バストの造形性を確実に向上することができる。また、補強部材が肌に直接触れずにバストのボリュームを挟むため、肌当たりを和らげることができると共に、脇側からバストのボリュームがはみ出しやすい問題を防止することができる。その結果、良い着用感を維持することができる。
【００１２】
本発明に係るカップ部を有する衣類において、補強部材とカップ部とは、モールド成形により一体的に形成されている。このようにすれば、カップ部を有する衣類の作製を容易に行うことができる。
本発明に係るカップ部を有する衣類において、バック部は、カップ部の最下点より脇側から延びている構成でもよい。
【００１３】
本発明に係るカップ部を有する衣類において、補強部材は、カップ部の最下点から、それぞれワイヤ部の前中心末端と脇側末端に向けて長さの２／３までの領域に設けられていることが好適である。このようにすれば、バスト下部のボリュームに対応する領域に補強部材を配置させることで、バストを挟んで上方に押し上げる効果を確保することができる。
【００１４】
本発明に係るカップ部を有する衣類において、補強部材は、カップ部と同等の材料、もしくはカップ部よりも伸縮性が低い材料、もしくはカップ部よりも回復性が高い材料から形成されていることが好適である。このようにすれば、バスト下部のボリュームを挟んで押し上げる効果を高めることができ、バストの造形性の向上を図りやすくなる。
【００１５】
本発明に係るカップ部を有する衣類において、カップ部におけるバストトップに対応する位置より下方であって補強部材までの領域が、肌側に膨らむこと、もしくは着脱自在に取り付けられたパッドを有することが好適である。このようにすれば、バスト下部のボリュームを効果的に押し上げることで、バストに豊かな膨らみを持たせて自然なシルエットを造形することができる。
【００１６】
本発明に係るカップ部を有する衣類において、左右一対のカップ部を連結する土台部を更に備えることが好適である。このようにすれば、カップ部の安定性を高めることができるので、カップ部のズレの発生を防止し、良い着用感を維持することができる。
【発明の効果】
【００１７】
本発明によれば、バストの造形性の向上及び良い着用感との両立を可能にするカップ部を有する衣類を提供することができる。
【図面の簡単な説明】
【００１８】
【図１】第１実施形態に係るブラジャーの肌側を示す正面図である。
【図２】図１におけるＩＩ−ＩＩ線に沿った断面図である。
【図３】補強部材の変形例を示す正面図である。
【図４】補強部材の変形例を示す正面図である。
【図５】補強部材の変形例を示す正面図である。
【図６】第２実施形態に係るカップ部を示す断面図である。
【図７】第３実施形態に係るブラジャーの肌側を示す正面図である。
【図８】図７におけるＶＩＩＩ−ＶＩＩＩ線に沿った断面図である。
【図９】第４実施形態に係るカップ部を示す断面図である。
【図１０】第５実施形態に係るブラジャーの肌側を示す正面図である。
【発明を実施するための形態】
【００１９】
以下、図面を参照して本発明に係るカップ部を有する衣類の実施形態としてブラジャーの例を詳細に説明する。なお、説明において、上下及び左右方向は着用者から見た方向である。また、ブラシャーの構成は左右対称であるため、一方のみについて説明する。
【００２０】
（第１実施形態）
図１は第１実施形態に係るブラジャーの肌側を示す正面図であり、図２は図１におけるＩＩ−ＩＩ線に沿った断面図である。図２では、左側がカップ部の外側、右側はカップ部の肌側を示す。ブラジャー１は、ワイヤフォーム型のブラジャーであり、着用者のバストを覆うように形成された左右一対のカップ部２（３／４カップ）を備える。カップ部２の上縁２ａは凸形状に湾曲して形成され、その下縁２ｂは、バストのバージスラインに合わせるように湾曲して形成されている。左右のカップ部２同士は、前中心側でカップ連結布３によって連結されている。
【００２１】
カップ部２の下縁２ｂには、ワイヤ部４が取り付けられている。ワイヤ部４は、バージスラインに沿うように脇側から前中心側にかけて円弧状に形成され、ワイヤ４ａ及びバイアステープ４ｂから構成されている（図２参照）。ワイヤ４ａは、鋼材、形状記憶合金あるいは樹脂等の素材から形成され、バイアステープ４ｂに包まれて縫い込まれている。バイアステープ４ｂはナイロンやポリエステル等からなる生地によって形成されている。
【００２２】
カップ部２の脇側には、背部に延びるバック部５が取り付けられている。左右のバック部５同士は、伸縮性の素材からなり、その背部の端部に設けられたホック７ａ，７ｂにより互いに係脱自在に連結されている。カップ部２の上縁２ａには、肩紐部６が取り付けられている。肩紐部６は、伸縮性の織布もしくは編布から紐状に形成され、カップ部２とバック部５とを繋ぐようにカップ部２とバック部５との間に架け渡されている。肩紐部６には長さ調整金具６ａ，６ｂが取り付けられ、着用者が調整金具６ａ，６ｂ間の距離を変更することで肩紐部６の長さを適宜に調整できる。
【００２３】
カップ部２は、バストの形にフィットするように立体的に形成され、外側のカップ表布８と肌側のカップ裏布９を有し、その間に中間部材１０を挟んで構成されている。カップ表布８及びカップ裏布９には合成繊維や天然繊維の織布、編布等の素材が用いられ、中間部材１０には発泡ポリウレタンのような一定の厚みと保形性、弾力性を有する素材が用いられる。
【００２４】
なお、カップ部２はモールド成形により一体的に形成されている。このようにすれば、カップ部２を容易に形成することができると共に、複数のパーツを立体的に縫着する手間を省くことができ、作業性の向上を図ることができる。しかも、複数のパーツを縫着する縫い目が生じないため、縫い目による肌への不快感を与えることはなく、快適な着け心地が得られる。
【００２５】
カップ部２の下部には、ワイヤ部４に沿って帯状に延在し、着用時にワイヤ部４におけるバストを挟む力を補強する補強部材１１が内蔵されている。図１に示すように、補強部材１１は、一定の幅を有し、着用者のバストの下部ボリュームにフィットするように、ワイヤ部４の湾曲に倣って前中心側から脇側にかけて配置されている。なお、補強部材１１の幅が１〜４．５ｃｍであることが好ましい。
【００２６】
補強部材１１は、モールド成形によりカップ部２と一体的に形成され、カップ部２の内部に固定されている。図２に示すように、補強部材１１はワイヤ部４に近接の位置に配置され、その下縁１１ａがワイヤ部４に連結されていない。補強部材１１の前中心側端部１１ｂがカップ部２の上縁２ａまで、脇側端部１１ｃがカップ部２の脇縁２ｃまでにそれぞれ延びている。
【００２７】
補強部材１１は、カップ部２と同等の材料、もしくはカップ部２よりも伸縮性が低い材料、もしくはカップ部２よりも回復性が高い材料から形成されている。例えば、マーキゼットのような伸びない素材あるいは伸びにくい素材、エラストマー樹脂性やパワーネットのように一定の伸びを有するが回復性の高い素材などが挙げられ。また、補強部材１１にはカップ部２の素材と同じ素材を用いることもできる。但し、どの素材に関しても、薄い方が好ましい。
【００２８】
このように構成されたブラジャー１によれば、ワイヤ部４に沿って帯状に延在し、着用時にワイヤ部４におけるバストを挟む力を補強する補強部材１１が内蔵されているので、バストの造形性を向上することが可能になる。すなわち、着用時にワイヤ部４が元に戻ろうとする力が補強部材１１に伝わり、補強部材１１がその力を受けて、バスト下部のボリュームを挟んで上方に押し上げる。このようにワイヤ部４と補強部材１１の協働でワイヤ部４の挟む力を効果的にバストに伝えることができ、バストを支える力をアップすることが可能になる。また、バストを挟む力を補強する補強部材１１を設けることで、ワイヤ部４の位置を安定させることができるので、アンダーが弱いタイプやアンダーフリータイプのブラジャーであっても、ワイヤ部４が確実にバストを挟むことができ、カップ部２のずり下がりを確実に防止することができる。
【００２９】
しかも、従来と比べてバストを挟んで押し上げる領域が大きくなるので、バストをサポートする効果を高めることができ、バストの造形性を確実に向上することができる。また、補強部材１１が肌に直接触れずにバストのボリュームを挟むため、肌当たりを和らげることができると共に、脇側からバストのボリュームがはみ出しやすい問題を防止することができる。その結果、良い着用感を維持することができる。
【００３０】
以下、図３〜図５を参照して補強部材の変形例を説明する。図３に示す変形例では、補強部材１２は、その上縁１２ａが上方に向けて凹形状に湾曲するように形成されている。具体的には、補強部材１２の幅は、補強部材１２の全長にわたって均一せず、カップ部２の最下点Ｐの付近では最も狭く、前中心側端部１２ｂと脇側端部１２ｃに近づくにつれ徐々に広がっていく。更に、前中心側と比べて脇側の幅が広く形成されている。
【００３１】
このように構成された補強部材１２によれば、上述した補強部材１１と同様な効果を得られる。更に、カップ部２の最下点Ｐの付近よりも前中心側と脇側の幅が大きいため、前中心側と脇側におけるバストを挟む力を大きくすることができる。これによって、前中心側及び脇側に流れがちなバストのボリュームを挟んで押し上げることで、脇側からバストのボリュームがはみ出すのを確実に防止できると共に、バストの形を綺麗に整えることができる。また、脇側の幅が前中心側より広いので、更に脇寄せ効果を高めることができる。
【００３２】
図４に示す変形例では、補強部材１３は、カップ部２の最下点Ｐの付近で上方に突出するように形成されている。具体的には、前中心側端部１３ｂと脇側端部１３ｃからカップ部２の最下点Ｐ付近までの領域と比べて、カップ部２の最下点Ｐの付近では、上縁１３ａが上方に突出することで補強部材１３の幅が大きくなっている。
【００３３】
このように構成された補強部材１３によれば、上述した補強部材１１と同様な効果を得られる。更に、前中心側端部１３ｂと脇側端部１３ｃよりもカップ部２の最下点Ｐ付近での幅が大きいため、バストボリュームを下方から押し上げる効果を高めることができ、バストに豊かな膨らみを持たせて綺麗なシルエットを形成することができる。
【００３４】
図５に示す変形例では、補強部材１４は、カップ部２の最下点Ｐから、それぞれワイヤ部４の前中心末端４ｃと脇側末端４ｄに向けて長さの２／３までの領域に配置されている。すなわち、ワイヤ部４に沿ってカップ部２の最下点Ｐから補強部材１４の前中心側端部１４ａまでの距離が、カップ部２の最下点Ｐからワイヤ部４の前中心末端４ｃまでの距離に対して２／３である。同様に、ワイヤ部４に沿ってカップ部２の最下点Ｐから補強部材１４の脇側端部１４ｂまでの距離が、カップ部２の最下点Ｐからワイヤ部４の脇側末端４ｄまでの距離に対して２／３である。このように着用者バスト下部のボリュームに対応する領域に補強部材１４を配置させることで、バストを挟んで上方に押し上げる効果を確保することができる。
【００３５】
（第２実施形態）
図６は第２実施形態に係るカップ部を示す断面図である。第２実施形態に係るブラジャー１５は、カップ部１６におけるバスト下部のボリュームに対応する位置が肌側に膨らむ点において第１実施形態と相違している。ブラジャー１５のその他の構成は、上述したブラジャー１の構成と同様のため、同一符号を付して重複説明を省略する。
【００３６】
図６に示すように、カップ部１６は、外側のカップ表布１７と肌側のカップ裏布１８を有し、その間に中間部材１９を挟んで構成されている。カップ表布１７及びカップ裏布１８には合成繊維や天然繊維の織布、編布等の素材が用いられ、中間部材１９には発泡ポリウレタンのような一定の厚みと保形性、弾力性を有する素材が用いられる。カップ部１６におけるバストトップに対応する位置より下方であって補強部材１１までの領域１６Ａが、肌側に大きく膨らんでいる。
【００３７】
このように構成されたブラジャー１５は、第１実施形態と同様な効果を得られるほか、バストトップに対応する位置より下方であって補強部材１１までの領域１６Ａが、肌側に大きく膨らむので、バスト下部のボリュームを効果的に押し上げることで、バストに膨らみを持たせて、ボリューム感のある上向きのバストを造形することができる。
【００３８】
（第３実施形態）
図７は第３実施形態に係るブラジャーの肌側を示す正面図であり、図８は図７におけるＶＩＩＩ−ＶＩＩＩ線に沿った断面図である。第３実施形態に係るブラジャー２０は、パッド２１を備える点において第１実施形態と相違している。ブラジャー２０のその他の構成は、上述したブラジャー１の構成と同様であるため、同一符号を付して重複説明を省略する。
【００３９】
図８に示すように、カップ部２の肌側において、カップ部２におけるバストトップに対応する位置より下方であって補強部材１１までの領域２Ａには、パッド２１が設けられている。パッド２１は、発泡ポリウレタンからなる中間部材と、この中間部材を包む布材とを貼り合わせることにより形成されており、収納袋２２に収納されている。図７に示すように、収納袋２２は脇側に向かって開口されている。そして、パッド２１を収納袋２２に収納したり、あるいは収納袋２２から取り出したりすることで、カップ部２に対し着脱自在になっている。
【００４０】
このように構成されたブラジャー２０は、第１実施形態と同様な効果を得られるほか、カップ部２におけるバストトップに対応する位置より下方であって補強部材１１までの領域２Ａに、パッド２１が着脱自在に設けられているため、必要に応じてパッド２１を収納袋２２に装着することにより、バスト下部のボリュームを上方に押し上げて、ボリューム感のあるバストを造形することができる。
【００４１】
（第４実施形態）
図９は第４実施形態に係るカップ部を示す断面図である。第４実施形態に係るブラジャー２３は、補強部材２４がワイヤ部４に連結する点において第１実施形態と相違している。ブラジャー２３のその他の構成は、上述したブラジャー１の構成と同様のため、同一符号を付して重複説明を省略する。
【００４２】
図９に示すように、補強部材２４の下縁２４ａがワイヤ部４までに延びて、縫着や接着などによってワイヤ部４と連結されている。このように構成されたブラジャー２３は、第１実施形態と同様な効果を得られるほか、補強部材２４がワイヤ部４に直接に連結されるので、ワイヤ部４が元に戻ろうとする力がダイレクトに補強部材２４に伝わることができる。従って、バスト下部のボリュームを挟んで押し上げる効果を更に高めることができる。
【００４３】
（第５実施形態）
図１０は第５実施形態に係るブラジャーの肌側を示す正面図である。第５実施形態に係るブラジャー２５は、土台部２６を有する点において第１実施形態と相違している。すなわち、左右のカップ部２はそれぞれ土台部２６に縫着されている。左右カップ部２同士は、この土台部２６によって互いに連結されている。ブラジャー２５のその他の構成は、上述したブラジャー１の構成と同様であるため、同一符号を付して重複説明を省略する。このように構成されたブラジャー２５は、第１実施形態と同様な効果を得られる。更に、土台部２６を備えることにより、カップ部２の安定性を高めることができ、カップ部２のズレの発生を防止し、着用感の向上を図り易くなる。
【００４４】
本発明は、上記実施形態及び変形例に限定されるものではない。例えば、上記の実施形態では、カップ部２を３／４カップとしたが、３／４カップに限らず、フルカップや１／２カップのブラジャー等に適用される。また、本発明は前中心を係脱自在のホックで連結するフロントホック型ブラジャー、肩紐部を有しないストラップレスタイプにも適用される。更に、上記の実施形態では、ブラジャーの例を挙げて説明したが、本発明はブラスリップ、ブラキャミソール、スリーインワン、ボディスーツ、レオタード、水着、ブラドレス等のカップ部を有する衣類にも適用される。
【符号の説明】
【００４５】
１，１５,２０,２３,２５…ブラジャー、２，１６…カップ部、２ｂ…下縁、４…ワイヤ部、５…バック部、１０…パッド、１１，１２，１３，１４,２４…補強部材、２６…土台部、Ｐ…カップ部の最下点。
【図１】
0005887795.tif 000002
【図２】
0005887795.tif 000003
【図３】
0005887795.tif 000004
【図４】
0005887795.tif 000005
【図５】
0005887795.tif 000006
【図６】
0005887795.tif 000007
【図７】
0005887795.tif 000008
【図８】
0005887795.tif 000009
【図９】
0005887795.tif 000010
【図１０】
0005887795.tif 000011